(57)【要約】【課題】部屋の壁やギタースタンドに立て掛けたまま、又は、ギターホルダーに掛けたままの状態のギターのボディにワンタッチで取り付け取り外しができ、ホコリ、汚れから守ることのできる、ギターボディ用カバーを提供する。【解決手段】ギターのボディを傷つけることがないように柔軟性のある布地等を使用し、前面部はギターのボディ前面の大きさに合わせ裁断し、縫い合わせてある。また、背面部はギターを立て掛けたままの状態でもギターのボディへの取り付け取り外しが容易にできるよう、背面上位左右に縫い合わされ形成されている。また、この背面部上位にはマジックテープをも使用している。【選択図】  図２
0003119009.tif 000002
【実用新案登録請求の範囲】
【請求項１】
ギターのボディに傷をつけないため、柔軟性のある布地等を使用し、ギターボディ前面を覆う大きさに合わせた前面部と、部屋の壁やギタースタンドに立て掛けたまま、又は、ギターホルダーに掛けたままの状態のギターのボディへも容易に取り付け取り外しができるよう、縫い合わせて形成された背面部を設けたことを特徴とするギターボディ用カバー。
【請求項２】
上述のように、取り付け取り外ししやすい位置に縫い合わせて形成された背面部には、ボタン・マジックテープ等の着脱可能な部材が設けられることを特徴とする請求項１に記載のギターボディ用カバー。
【考案の詳細な説明】
【技術分野】
【０００１】本考案は、ギターのボディにワンタッチで取り付け取り外しができ、ホコリ、汚れから守ることのできるギターボディ用のカバーに関するものである。
【背景技術】
【０００２】従来、ギターをホコリ、汚れから守るものといえば、ギター全体を覆うギター用ケースを使うことが多く、ギターボディのみへワンタッチで取り付け取り外しのできるギターボディ用カバーはなかった。
【考案の開示】
【考案が解決しようとする課題】
【０００３】普段、ギターを弾く人たちはギターを弾き終えた際、部屋の壁やギタースタンドに立て掛けたまま、又は、ギターホルダーに掛けたままにしていることがよくある。そうすると、どうしてもホコリ、汚れが付着してしまう。特に、ギターのボディはギター本体のなかでは面積も広く、また、弦とボディの間隔が狭いためホコリ、汚れがたまりやすくなる。【０００４】この考案の目的は、部屋の壁やギタースタンドに立て掛けたまま、又は、ギターホルダーに掛けたままの状態のギターのボディに、ワンタッチで取り付け取り外しができ、ホコリ汚れから守ることのできるギターボディ用カバーを提供することにある。
【課題を解決するための手段】
【０００５】ギターのボディを傷つけることのないよう、柔軟性のある布地からなりギター前面を覆う大きさの前面部と、着脱しやすいよう、背面上位左右に設けた背面部により、部屋の壁やギタースタンドに立て掛けたまま、又は、ギターホルダーに掛けたままの状態のギターのボディにも、ワンタッチで取り付け取り外しができ、ホコリ、汚れから守ることができるようになる。
【考案の効果】
【０００６】上述のように、ギターボディのみのカバーでありワンタッチで取り付け取り外しができ、ホコリ、汚れから守ることができるようになるためギター愛用者にとって、使い勝手がよく且つ、使用頻度も高まることになる。
【考案を実施するための最良の形態】
【０００７】本考案の最良の形態例を図面に基づいて説明する
【実施例】
【０００８】図１は、ギターボディ用カバー２をギターのボディに装着し着脱部分を取り外している背面図である。このギターボディ用カバー２は、ギターのボディに傷をつけないよう柔軟性のある布地等からなる。この背面部４と５はギターボディの背面からずれ落ちず着脱しやすい位置になるよう縫い合わされ形成されている。また、該背面部上の６の部分にはマジックテープを使用している。【０００９】図２は、ギタースタンド１に立て掛けてあるギターのボディに本考案のギターボディ用カバー２を装着した斜視図である。該前面部３は、ギターボディ前面を覆う大きさに合わせてあり、ギターボディ前面をホコリ、汚れから守ることができる。【００１０】図３は、本考案のギターボディ用カバー２の背面図であり３ａは前面部３の裏にあたり、該３ａの上位左右の周囲に背面部４と５が縫い合わされている。このことにより、部屋の壁やギタースタンドに立て掛けたまま、又は、ギターホルダーに掛けたままの状態のギターのボディにもワンタッチで取り付け取り外しができるようになる。【００１１】また図４は、ギターボディに本考案のギターボディ用カバー２を装着した背面図である。該背面部４と５を用いてギターのネック８を中心にしてギターボディの背面部７を包み込むように装着する。このような方法で使用し、また、縫製して形成することによりいろいろなギターのボディにも本考案を適用することができる。
【図面の簡単な説明】
【００１２】
【図１】本考案のギターボディ用カバーをギターのボディに装着して着脱部分を取り外している背面図である。
【図２】本考案のギターボディ用カバーをギターのボディに装着し、ギタースタンドに立て掛けてある斜視図である。
【図３】本考案のギターボディ用カバーの背面図である。
【図４】本考案のギターボディ用カバーをギターのボディに装着している背面図である。
【符号の説明】
１ギタースタンド
２ギターボディ用カバー
３前面部
３ａ前面部３の裏
４と５背面部
６マジックテープ
７ギターボディの背面
８ギターネック
【図１】
0003119009.tif 000003
【図２】
0003119009.tif 000004
【図３】
0003119009.tif 000005
【図４】
0003119009.tif 000006
【手続補正書】
【提出日】平成17年9月26日(2005.9.26)
【手続補正１】
【補正対象書類名】実用新案登録請求の範囲
【補正対象項目名】全文
【補正方法】変更
【補正の内容】
【実用新案登録請求の範囲】
【請求項１】
ギターのボディを傷つけることのないよう、柔軟性のある布地からなり、ギターボディ前面を覆う大きさに合わせてある前面部とギターボディ背面上位部分を包み込むようにして装着する背面部を設けたことを特徴とするギターボディ用カバー。
【請求項２】
上記、背面部上にはマジックテープ等の着脱可能な部材が設けられることを特徴とする請求項１に記載のギターボディ用カバー。
【手続補正書】
【提出日】平成17年11月7日(2005.11.7)
【手続補正１】
【補正対象書類名】実用新案登録請求の範囲
【補正対象項目名】請求項２
【補正方法】変更
【補正の内容】
【請求項２】
上記、背面部上には着脱可能な部材が設けられることを特徴とする請求項１に記載のギターボディ用カバー。
【手続補正２】
【補正対象書類名】明細書
【補正対象項目名】全文
【補正方法】変更
【補正の内容】
【考案の詳細な説明】
【技術分野】
【０００１】本考案は、ギターのボディにワンタッチで取り付け取り外しができ、ホコリ、汚れから守ることのできるギターボディ用のカバーに関するものである。
【背景技術】
【０００２】従来、ギターをホコリ、汚れから守るものといえば、ギター全体を覆うギター用ケースを使うことが多く、ギターボディのみへワンタッチで取り付け取り外しのできるギターボディ用カバーはなかった。
【考案の開示】
【考案が解決しようとする課題】
【０００３】普段、ギターを弾く人たちはギターを弾き終えた際、部屋の壁やギタースタンドに立て掛けたまま、又は、ギターホルダーに掛けたままにしていることがよくある。そうすると、どうしてもホコリ、汚れが付着してしまう。特に、ギターのボディはギター本体のなかでは面積も広く、また、弦とボディの間隔が狭いためホコリ、汚れがたまりやすくなる。【０００４】この考案の目的は、部屋の壁やギタースタンドに立て掛けたまま、又は、ギターホルダーに掛けたままの状態のギターのボディに、ワンタッチで取り付け取り外しができ、ホコリ、汚れから守ることのできるギターボディ用カバーを提供することにある。
【課題を解決するための手段】
【０００５】ギターのボディを傷つけることのないよう、柔軟性のある布地からなりギター前面を覆う大きさの前面部と、着脱しやすいよう、背面上位左右に設けた背面部により部屋の壁やギタースタンドに立て掛けたまま、又は、ギターホルダーに掛けたままの状態のギターのボディにも、ワンタッチで取り付け取り外しができ、ホコリ、汚れから守ることができるようになる。
【考案の効果】
【０００６】上述のように、ギターボディのみのカバーでありワンタッチで取り付け取り外しができ、ホコリ、汚れから守ることができるようになるためギター愛用者にとって、使い勝手がよく且つ、使用頻度も高まることになる。
【考案を実施するための最良の形態】
【０００７】本考案の最良の形態例を図面に基づいて説明する
【実施例】
【０００８】図１は、ギターボディ用カバー２をギターのボディに装着し着脱部分を取り外している背面図である。このギターボディ用カバー２は、ギターのボディに傷をつけないよう柔軟性のある布地等からなる。この背面部４と５はギターボディの背面からずれ落ちず着脱しやすい位置になるよう縫い合わされ形成されている。また、該背面部上の６の部分にはマジックテープ（登録商標）を使用している。【０００９】図２は、ギタースタンド１に立て掛けてあるギターのボディに本考案のギターボディ用カバー２を装着した斜視図である。該前面部３は、ギターボディ前面を覆う大きさに合わせてあり、ギターボディ前面をホコリ、汚れから守ることができる。【００１０】図３は、本考案のギターボディ用カバー２の背面図であり３ａは前面部３の裏にあたり、該３ａの上位左右に背面部４と５が縫い合わされている。このことにより、部屋の壁やギタースタンドに立て掛けたまま、又は、ギターホルダーに掛けたままの状態のギターのボディにもワンタッチで取り付け取り外しができるようになる。【００１１】また図４は、ギターボディに本考案のギターボディ用カバー２を装着した背面図である。該背面部４と５を用いてギターのネック８を中心にしてギターボディの背面部７を包み込むように装着する。このような方法で使用し、また、縫製して形成することによりいろいろなギターのボディにも本考案を適用することができる。
【図面の簡単な説明】
【００１２】
【図１】本考案のギターボディ用カバーをギターのボディに装着して着脱部分を取り外している背面図である。
【図２】本考案のギターボディ用カバーをギターのボディに装着し、ギタースタンドに立て掛けてある斜視図である。
【図３】本考案のギターボディ用カバーの背面図である。
【図４】本考案のギターボディ用カバーをギターのボディに装着している背面図である。
【符号の説明】
【００１３】  １ギタースタンド
２ギターボディ用カバー
３前面部
３ａ前面部３の裏
４と５背面部
６マジックテープ（登録商標）
７ギターボディの背面
８ギターネック